(57)【要約】      （修正有）【課題】アンライセンスドスペクトラムのみでＬＴＥ通信を行うスタンドアローン型システムにおいて、基地局と無線端末との間で特定周波数帯を用いて通信を適切に行う移動通信システムを提供する。【解決手段】移動通信システムは、アンライセンスドスペクトラムにおいてディスカバリー参照信号を送信する基地局２００と、アンライセンスドスペクトラムにおいてディスカバリー参照信号ＤＲＳを受信する無線端末１００と、を備える。基地局は、アンライセンスドスペクトラムにおいて、ディスカバリー参照信号が送信されるべきタイミングを示すタイミング情報を無線端末に通知するＳ１１３。【選択図】図7
2020205612.tif 000002
【特許請求の範囲】
【請求項１】
同期信号及びマスタ情報ブロックを送信する基地局と、
前記同期信号及び前記マスタ情報ブロックを受信するユーザ装置と、を備え、
前記基地局は、前記同期信号の送信周期と同じ送信周期で前記マスタ情報ブロックを送信する
移動通信システム。
【請求項２】
前記基地局は、共用スペクトラムにおいて前記同期信号及び前記マスタ情報ブロックを送信し、
前記ユーザ装置は、前記共用スペクトラムにおいて前記同期信号及び前記マスタ情報ブロックを受信する
請求項１に記載の移動通信システム。
【請求項３】
前記基地局は、前記同期信号及び前記マスタ情報ブロックを、連続するシンボルにおいて送信する
請求項１又は２に記載の移動通信システム。
【請求項４】
基地局であって、
同期信号及びマスタ情報ブロックをユーザ装置に送信する送信部を備え、
前記送信部は、前記同期信号の送信周期と同じ送信周期で前記マスタ情報ブロックを前記ユーザ装置に送信する
基地局。
【請求項５】
ユーザ装置であって、
同期信号及びマスタ情報ブロックを基地局から受信する受信部を備え、
前記マスタ情報ブロックは、前記同期信号の送信周期と同じ送信周期で送信される
ユーザ装置。
【請求項６】
ユーザ装置を制御するプロセッサであって、
同期信号及びマスタ情報ブロックを基地局から受信する処理を実行し、
前記マスタ情報ブロックは、前記同期信号の送信周期と同じ送信周期で送信される
プロセッサ。
【請求項７】
基地局が、同期信号及びマスタ情報ブロックを送信するステップと、
ユーザ装置が、前記同期信号及び前記マスタ情報ブロックを受信するステップと、を備え、
前記送信するステップは、前記基地局が、前記同期信号の送信周期と同じ送信周期で前記マスタ情報ブロックを送信するステップを含む
方法。
【発明の詳細な説明】
【技術分野】
【０００１】
本発明は、特定周波数帯を用いて通信を行う移動通信システムに関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において、リリース１３仕様にＬＡＡ（Ｌｉｃｅｎｓｅｄ−Ａｓｓｉｓｔｅｄ  Ａｃｃｅｓｓ）が導入されている。ＬＡＡは、キャリアアグリゲーションにおいて、ライセンスドスペクトラムをプライマリセル（ＰＣｅｌｌ）として用いるとともに、特定周波数帯で動作する少なくとも１つのセカンダリセル（ＳＣｅｌｌ）を用いる技術である。このようなＳＣｅｌｌはＬＡＡ  ＳＣｅｌｌと称される。このような特定周波数帯は、アンライセンスドスペクトラム（アンライセンスド周波数帯）と称される。
【０００３】
リリース１３においては、ＬＡＡ  ＳＣｅｌｌは下りリンクに限定されている。基地局は、ＬＡＡ  ＳＣｅｌｌ上で下りリンク送信を行う前にＬＢＴ（Ｌｉｓｔｅｎ−Ｂｅｆｏｒｅ−Ｔａｌｋ）を行う。具体的には、基地局は、ＬＡＡ  ＳＣｅｌｌ上でチャネルを監視／センシングすることにより、当該チャネルが空き（ｆｒｅｅ）であるか又は使用中（ｂｕｓｙ）であるかを判断する。基地局は、チャネルが空きであると判断した場合には下りリンク送信を行い、そうでなければ下りリンク送信を行わない。
【０００４】
一方で、ライセンスドスペクトラムを用いることなく、アンライセンスドスペクトラムのみでＬＴＥ（Ｌｏｎｇ  Ｔｅｒｍ  Ｅｖｏｌｕｔｉｏｎ）の通信を行うスタンドアローン型の動作も検討されている。以下において、このような動作をスタンドアローンＬＴＥ−Ｕと称する。ＬＡＡにおいて、無線端末は、ライセンスドスペクトラムの補助があることを前提としてアンライセンスドスペクトラムを利用可能としているが、スタンドアローンＬＴＥ−Ｕにおいては、ライセンスドスペクトラムによる補助を用いることができない。よって、スタンドアローンＬＴＥ−Ｕにおいて、基地局と無線端末との間の通信を適切に行うことを可能とする技術の実現が望まれる。
【先行技術文献】
【非特許文献】
【０００５】
【非特許文献１】３ＧＰＰ技術仕様書「ＴＳ３６．３００  Ｖ１３．４．０」
【発明の概要】
【０００６】
一実施形態に係る移動通信システムは、アンライセンスドスペクトラムにおいてディスカバリー参照信号を送信する基地局と、前記アンライセンスドスペクトラムにおいて前記ディスカバリー参照信号を受信する無線端末と、を備える。前記基地局は、前記アンライセンスドスペクトラムにおいて、前記ディスカバリー参照信号が送信されるべきタイミングを示すタイミング情報を前記無線端末に通知する。
【０００７】
一実施形態に係る移動通信システムは、アンライセンスドスペクトラムにおいてディスカバリー参照信号及びブロードキャスト信号を所定の周期で送信する基地局と、前記アンライセンスドスペクトラムにおいて前記ディスカバリー参照信号及び前記ブロードキャスト信号を受信する無線端末と、を備える。前記基地局は、前記ディスカバリー参照信号の送信に用いるサブフレーム内において、前記ディスカバリー参照信号が配置されない領域を用いて前記ブロードキャスト信号を送信する。
【０００８】
一実施形態に係る移動通信システムは、アンライセンスドスペクトラムにおいて、所定タイミングで所定信号の送信を試みる基地局と、前記アンライセンスドスペクトラムにおいて、前記所定タイミングで前記所定信号の受信を試みる無線端末と、を備える。前記基地局は、前記所定タイミングで前記所定信号の送信が不可であることに応じて、前記所定タイミングを変更することにより、変更したタイミングで前記所定信号の送信を試みる。前記無線端末は、前記所定タイミングで前記基地局から何らの無線信号も受信しないことに応じて、前記変更したタイミングで前記所定信号の受信を試みる。
【図面の簡単な説明】
【０００９】
【図１】実施形態に係るＬＴＥシステムの構成を示す図である。
【図２】実施形態に係るＵＥ（無線端末）の構成を示す図である。
【図３】実施形態に係るｅＮＢ（基地局）の構成を示す図である。
【図４】実施形態に係る無線インターフェイスのプロトコルスタックの構成を示す図である。
【図５】実施形態に係る無線フレームの構成を示す図である。
【図６】実施形態に係るスタンドアローンＬＴＥ−Ｕの基本的な動作の一例を示す図である。
【図７】第１実施形態の動作パターン１の一例を示す図である。
【図８】第１実施形態の動作パターン２の一例を示す図である。
【図９】第１実施形態の動作パターン３の一例を示す図である。
【図１０】第１実施形態の動作パターン４の一例を示す図である。
【図１１】第１実施形態の変更例を示す図である。
【図１２】第２実施形態に係る下りリンク物理チャネル構成の一例を示す図である。
【図１３】第２実施形態に係る動作の一例を示す図である。
【図１４】第２実施形態に係る動作の一例を示す図である。
【発明を実施するための形態】
【００１０】
［移動通信システム］
以下において、実施形態に係る移動通信システムの構成について説明する。図１は、実施形態に係る移動通信システムであるＬＴＥシステムの構成を示す図である。ＬＴＥシステムは、３ＧＰＰ規格に基づく移動通信システムである。
【００１１】
図１に示すように、ＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００１２】
ＵＥ１００は、無線端末に相当する。ＵＥ１００は、移動型の通信装置である。ＵＥ１００は、セル（サービングセル）との無線通信を行う。
【００１３】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。
【００１４】
ｅＮＢ２００は、１又は複数のセルを管理する。ｅＮＢ２００は、ｅＮＢ２００が管理するセルとの接続を確立したＵＥ１００との無線通信を行う。ｅＮＢ２００は、無線リソース管理（ＲＲＭ）機能、ユーザデータ（以下、単に「データ」という）のルーティング機能、モビリティ制御・スケジューリングのための測定制御機能等を有する。「セル」は、無線通信エリアの最小単位を示す用語として用いられる。「セル」は、ＵＥ１００との無線通信を行う機能を示す用語としても用いられる。
【００１５】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御等を行う。Ｓ−ＧＷは、データの転送制御を行う。ＭＭＥ／Ｓ−ＧＷ３００は、Ｓ１インターフェイスを介してｅＮＢ２００と接続される。
【００１６】
図２は、ＵＥ１００（無線端末）の構成を示す図である。図２に示すように、ＵＥ１００は、受信部１１０、送信部１２０、及び制御部１３０を備える。
【００１７】
受信部１１０は、制御部１３０の制御下で各種の受信を行う。受信部１１０は、アンテナ及び受信機を含む。受信機は、アンテナが受信する無線信号をベースバンド信号（受信信号）に変換する。受信機は、ベースバンド信号を制御部１３０に出力する。
【００１８】
送信部１２０は、制御部１３０の制御下で各種の送信を行う。送信部１２０は、アンテナ及び送信機を含む。送信機は、制御部１３０が出力するベースバンド信号（送信信号）を無線信号に変換する。送信機は、無線信号をアンテナから送信する。
【００１９】
制御部１３０は、ＵＥ１００における各種の制御を行う。制御部１３０は、プロセッサ及びメモリを含む。メモリは、プロセッサにより実行されるプログラム、及びプロセッサによる処理に用いられる情報を記憶する。プロセッサは、ベースバンドプロセッサと、ＣＰＵ（Ｃｅｎｔｒａｌ  Ｐｒｏｃｅｓｓｉｎｇ  Ｕｎｉｔ）と、を含む。ベースバンドプロセッサは、ベースバンド信号の変調・復調及び符号化・復号等を行う。ＣＰＵは、メモリに記憶されるプログラムを実行して各種の処理を行う。プロセッサは、後述する処理を実行する。
【００２０】
図３は、ｅＮＢ２００（基地局）の構成を示す図である。図３に示すように、ｅＮＢ２００は、送信部２１０、受信部２２０、制御部２３０、及びバックホール通信部２４０を備える。
【００２１】
送信部２１０は、制御部２３０の制御下で各種の送信を行う。送信部２１０は、アンテナ及び送信機を含む。送信機は、制御部２３０が出力するベースバンド信号（送信信号）を無線信号に変換する。送信機は、無線信号をアンテナから送信する。
【００２２】
受信部２２０は、制御部２３０の制御下で各種の受信を行う。受信部２２０は、アンテナ及び受信機を含む。受信機は、アンテナが受信する無線信号をベースバンド信号（受信信号）に変換する。受信機は、ベースバンド信号を制御部２３０に出力する。
【００２３】
制御部２３０は、ｅＮＢ２００における各種の制御を行う。制御部２３０は、プロセッサ及びメモリを含む。メモリは、プロセッサにより実行されるプログラム、及びプロセッサによる処理に用いられる情報を記憶する。プロセッサは、ベースバンドプロセッサと、ＣＰＵと、を含む。ベースバンドプロセッサは、ベースバンド信号の変調・復調及び符号化・復号等を行う。ＣＰＵは、メモリに記憶されるプログラムを実行して各種の処理を行う。プロセッサは、後述する処理を実行する。
【００２４】
バックホール通信部２４０は、Ｘ２インターフェイスを介して隣接ｅＮＢ２００と接続される。バックホール通信部２４０は、Ｓ１インターフェイスを介してＭＭＥ／Ｓ−ＧＷ３００と接続される。バックホール通信部２４０は、Ｘ２インターフェイス上で行う通信及びＳ１インターフェイス上で行う通信等に用いられる。
【００２５】
図４は、ＬＴＥシステムにおける無線インターフェイスのプロトコルスタックの構成を示す図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００２６】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してデータ及び制御情報が伝送される。
【００２７】
ＭＡＣ層は、データの優先制御、ハイブリッドＡＲＱ（ＨＡＲＱ）による再送処理、及びランダムアクセスプロシージャ等を行う。ＵＥ１００のＭＡＣ層とｅＮＢ２００のＭＡＣ層との間では、トランスポートチャネルを介してデータ及び制御情報が伝送される。ｅＮＢ２００のＭＡＣ層は、スケジューラを含む。スケジューラは、上下リンクのトランスポートフォーマット（トランスポートブロックサイズ、変調・符号化方式（ＭＣＳ））及びＵＥ１００への割当リソースブロックを決定する。
【００２８】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してデータ及び制御情報が伝送される。
【００２９】
ＰＤＣＰ層は、ヘッダ圧縮・伸張、及び暗号化・復号化を行う。
【００３０】
ＲＲＣ層は、制御情報を取り扱う制御プレーンでのみ定義される。ＵＥ１００のＲＲＣ層とｅＮＢ２００のＲＲＣ層との間では、各種設定のためのメッセージ（ＲＲＣシグナリング）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッドモードであり、そうでない場合、ＵＥ１００はＲＲＣアイドルモードである。
【００３１】
ＲＲＣ層の上位に位置するＮＡＳ（Ｎｏｎ−Ａｃｃｅｓｓ  Ｓｔｒａｔｕｍ）層は、セッション管理及びモビリティ管理等を行う。
【００３２】
図５は、ＬＴＥシステムにおいて用いられる無線フレームの構成を示す図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００３３】
図５に示すように、無線フレームは、時間軸上で１０個のサブフレームで構成される。各サブフレームは、時間軸上で２個のスロットで構成される。各サブフレームの長さは１ｍｓであり、各スロットの長さは０．５ｍｓである。各サブフレームは、周波数軸上で複数個のリソースブロック（ＲＢ）を含み、時間軸上で複数個のシンボルを含む。各リソースブロックは、周波数軸上で複数個のサブキャリアを含む。具体的には、１２個のサブキャリア及び１つのスロットにより１つのＲＢが構成される。１つのシンボル及び１つのサブキャリアにより１つのリソースエレメント（ＲＥ）が構成される。ＵＥ１００に割り当てられる無線リソース（時間・周波数リソース）のうち、周波数リソースはリソースブロックにより特定でき、時間リソースはサブフレーム（又はスロット）により特定できる。
【００３４】
下りリンクにおいて、各サブフレームの先頭数シンボルの区間は、主に下りリンク制御情報を伝送するための物理下りリンク制御チャネル（ＰＤＣＣＨ）として用いられる領域である。各サブフレームの残りの部分は、主に下りリンクデータを伝送するための物理下りリンク共有チャネル（ＰＤＳＣＨ）として用いることができる領域である。上りリンクにおいて、各サブフレームにおける周波数方向の両端部は、主に上りリンク制御情報を伝送するための物理上りリンク制御チャネル（ＰＵＣＣＨ）として用いられる領域である。各サブフレームにおける残りの部分は、主に上りリンクデータを伝送するための物理上りリンク共有チャネル（ＰＵＳＣＨ）として用いることができる領域である。
【００３５】
［スタンドアローンＬＴＥ−Ｕ］
以下において、実施形態に係るスタンドアローンＬＴＥ−Ｕについて説明する。スタンドアローンＬＴＥ−Ｕは、ライセンスドスペクトラムを用いることなく、アンライセンスドスペクトラムのみでＬＴＥの通信を行う。
【００３６】
図６は、スタンドアローンＬＴＥ−Ｕの基本的な動作の一例を示す図である。図６に示す各ステップは、アンライセンスドスペクトラムにおいて実行される。
【００３７】
図６に示すように、ステップＳ１において、ｅＮＢ２００は、ＵＥ１００がｅＮＢ２００のセルを発見するために用いるディスカバリー参照信号（ＤＲＳ）を送信する。ＤＲＳは、周期的に送信される信号である。ＤＲＳは、プライマリ同期信号（ＰＳＳ）、セカンダリ同期信号（ＳＳＳ）、及びセル固有参照信号（ＣＲＳ）を含む。ＤＲＳは、チャネル状態情報参照信号（ＣＳＩ−ＲＳ）を含んでもよい。
【００３８】
ＰＳＳ及びＳＳＳは、ＵＥ１００がセルサーチに用いる同期信号である。ＰＳＳ及びＳＳＳは、システム帯域幅の中心９４５ｋＨｚ（すなわち、６リソースブロック）において送信される。
【００３９】
ＵＥ１００は、セルサーチの第１段階を行う。セルサーチの第１段階において、ＵＥ１００は、ＰＳＳを検知し、ＰＳＳの系列（信号系列）に基づいて、キャリア周波数検知、シンボルタイミング同期、及びローカルＩＤ検知を行う。ローカルＩＤは、セルＩＤグループ（例えば１６８個）中のセルＩＤ（例えば３個）に相当する。次に、ＵＥ１００は、セルサーチの第２段階を行う。セルサーチの第２段階において、ＵＥ１００は、ＳＳＳを検知し、ＳＳＳの系列に基づいて無線フレーム同期及びセルＩＤグループ検知を行う。ＵＥ１００は、ローカルＩＤ及びセルＩＤグループに基づいてセルＩＤ（ＰＣＩ：Ｐｈｙｓｉｃａｌ  Ｃｅｌｌ  ＩＤ）を取得する。ＵＥ１００は、取得したＰＣＩに基づいて、当該ＰＣＩに対応するＣＲＳを検知する。ＣＲＳは、下りリンク受信品質の測定等に用いられる。
【００４０】
ステップＳ２において、ｅＮＢ２００は、マスタ情報ブロック（ＭＩＢ）及びシステム情報ブロック・タイプ１（ＳＩＢ１）を送信する。ＭＩＢは、同期信号と同様にシステム帯域幅の中心部分に配置される物理ブロードキャストチャネル（ＰＢＣＨ）により送信される。ＭＩＢは、ＵＥ１００がセルサーチ後に取得すべき最低限の情報、例えば、システム帯域幅、システムフレーム番号（ＳＦＮ）、及び送信アンテナ数等である。ＳＩＢ１は、ＳＩＢ１以外の各ＳＩＢのスケジューリング情報を含む。
【００４１】
ステップＳ３において、ｅＮＢ２００は、ＳＩＢ１中のスケジューリング情報に従って他のＩＢ（例えば、ＳＩＢ２乃至ＳＩＢ２０）を送信する。
【００４２】
ステップＳ４において、ＵＥ１００及びｅＮＢ２００は、接続（ＲＲＣ接続）を確立するためのランダムアクセスプロシージャ（ＲＡＣＨ  Ｐｒｏｃｅｓｓ）を行う。
【００４３】
ステップＳ５において、ｅＮＢ２００は、ＵＥ１００に対する下りリンク送信を行う。ｅＮＢ２００は、ＰＤＣＣＨ（又はＥＰＤＣＣＨ）により下りリンク制御情報（ＤＣＩ）をＵＥ１００に送信し、ＰＤＳＣＨにより下りリンクデータをＵＥ１００に送信する。
【００４４】
ステップＳ６において、ＵＥ１００は、下りリンクデータの復号に成功したか否かを示すＡＣＫ／ＮＡＣＫをｅＮＢ２００に送信する。
【００４５】
アンライセンスドスペクトラムは、複数の通信システム及び／又は複数のオペレータが共用する周波数帯であるため、ＬＢＴが必要とされる。ｅＮＢ２００は、アンライセンスドスペクトラム中のチャネルを監視／センシングすることにより、当該チャネルが空き（ｆｒｅｅ）であるか又は使用中（ｂｕｓｙ）であるかを判断する。ｅＮＢ２００は、チャネルが空きであると判断した場合（すなわち、ＬＢＴに成功した場合）には送信を行い、そうでなければ送信を行わない。ＬＢＴに成功した場合には、所定の期間にわたってチャネルを占有することが許可される。
【００４６】
［第１実施形態］
以下において、第１実施形態について説明する。
【００４７】
一般的なＬＴＥ通信（すなわち、ライセンスドスペクトラムにおけるＬＴＥ通信）の場合、ＤＲＳの送信タイミングは、無線フレーム内の特定のサブフレーム（例えば、サブフレーム番号＃０及び＃５）に限定されている。一方、ＬＡＡの場合、ＤＲＳの送信タイミングは、ライセンスドスペクトラムのＰＣｅｌｌから個別ＲＲＣシグナリングによりＵＥ１００に設定される。ＤＲＳの送信タイミングは、サブフレーム番号＃０乃至＃９の範囲内で自由に設定できる。ＵＥ１００は、ｅＮＢ２００から設定されたタイミングでＤＲＳの受信及び測定を試みる。
【００４８】
しかしながら、スタンドアローンＬＴＥ−Ｕの場合、ライセンスドスペクトラムのＰＣｅｌｌが存在しないので、ＬＡＡと同様なＤＲＳ送信タイミングの通知方法を用いることができない。
【００４９】
第１実施形態において、ｅＮＢ２００は、アンライセンスドスペクトラム（特定周波数帯）においてＤＲＳを送信する。ｅＮＢ２００は、アンライセンスドスペクトラムにおいて、ＤＲＳが送信されるべきタイミングを示すタイミング情報をＵＥ１００に通知する。言い換えると、ｅＮＢ２００は、ＤＲＳの送信タイミングを、アンライセンスドスペクトラムのセルからＵＥ１００に通知する。これにより、スタンドアローンＬＴＥ−Ｕ、すなわち、ライセンスドスペクトラムのＰＣｅｌｌが存在しない場合でも、ＤＲＳ送信タイミングをＵＥ１００に通知することができる。
【００５０】
第１実施形態において、タイミング情報は、サブフレーム番号を含む。タイミング情報は、システムフレーム番号（ＳＦＮ）及び／又はスロット番号を含んでもよい。以下において、タイミング情報がサブフレーム番号である一例を説明する。ＤＲＳが送信されるべきサブフレームをＤＲＳサブフレームと称し、当該サブフレームの番号を「ＤＲＳサブフレーム番号」と称する。ＤＲＳサブフレームは、ＵＥ１００がＤＲＳの受信を試みるべき監視サブフレームと定義されてもよい。
【００５１】
第１実施形態において、ｅＮＢ２００は、ＤＲＳサブフレーム番号をＵＥ１００が識別可能な送信態様でＤＲＳを送信する。ＤＲＳを受信したＵＥ１００は、ＤＲＳの送信態様に基づいてＤＲＳサブフレーム番号を特定する。これにより、ＤＲＳ自体を用いてＤＲＳサブフレーム番号をＵＥ１００に通知することができる。ＤＲＳサブフレーム番号は、サブフレーム番号＃０乃至＃９の範囲内でｅＮＢ２００により決定される。
【００５２】
第１実施形態の動作パターン１において、ＤＲＳは、ｅＮＢ２００が管理するセルのセルＩＤ（ＰＣＩ）と対応付けられた同期信号（ＰＳＳ、ＳＳＳ）を含む。セルＩＤは、ＤＲＳサブフレーム番号と対応付けられている。ＵＥ１００は、同期信号に基づいてセルＩＤを特定し、特定したセルＩＤに基づいてＤＲＳサブフレーム番号を特定する。
【００５３】
図７は、第１実施形態の動作パターン１の一例を示す図である。図７に示すように、ステップＳ１１１において、ｅＮＢ２００は、所定のルールを用いて、自セルのセルＩＤに対応するＤＲＳサブフレーム番号を決定する。当該所定のルールは、システム仕様により事前定義されている。当該所定のルールは、セルＩＤとＤＲＳサブフレーム番号とを対応付けたテーブルにより規定されてもよいし、セルＩＤを用いる計算式（例えばＭｏｄ演算）により規定されてもよい。ステップＳ１１２において、ｅＮＢ２００は、ＤＲＳを送信するためのＬＢＴを行う。ここでは、ＬＢＴに成功したと仮定して説明を進める。ステップＳ１１３において、ｅＮＢ２００は、ＤＲＳ（ＰＳＳ及びＳＳＳ）を送信する。ＰＳＳ及びＳＳＳの各系列は、ｅＮＢ２００のセルのセルＩＤと対応付けられている。ＵＥ１００は、セルサーチによりＰＳＳ及びＳＳＳを受信する。ステップＳ１１４において、ＵＥ１００は、ＰＳＳ及びＳＳＳの各系列に基づいてセルＩＤを特定する。ステップＳ１１５において、ＵＥ１００は、事前定義されている所定のルールを用いて、セルＩＤに対応するＤＲＳサブフレーム番号を特定する。その後、ＵＥ１００は、特定したサブフレーム番号のサブフレームにおいてＤＲＳの受信を試みる。
【００５４】
第１実施形態の動作パターン２において、ＤＲＳは、ｅＮＢ２００のセルのセルＩＤグループと対応付けられた同期信号（ＳＳＳ）を含む。セルＩＤグループは、ＤＲＳサブフレーム番号と対応付けられている。ＵＥ１００は、同期信号（ＳＳＳ）に基づいてセルＩＤグループを特定し、特定したセルＩＤグループに基づいてＤＲＳサブフレーム番号を特定する。一例として、１６８個のセルＩＤグループのうち一部のセルＩＤグループを、ＤＲＳサブフレーム番号を特定するための特別なセルＩＤグループとして確保する。動作パターン２の場合、利用可能なセルＩＤの数は減少する。特別なセルＩＤグループとＤＲＳサブフレーム番号との対応関係は、システム仕様により事前定義されている。
【００５５】
図８は、第１実施形態の動作パターン２の一例を示す図である。図８に示すように、ステップＳ１２１において、ｅＮＢ２００は、ＤＲＳサブフレーム番号を決定する。ステップＳ１２２において、ｅＮＢ２００は、事前定義された対応関係を用いて、ＤＲＳサブフレーム番号に対応する特別なセルＩＤグループ（すなわち、ＳＳＳの系列）を決定する。ステップＳ１２３において、ｅＮＢ２００は、ＤＲＳを送信するためのＬＢＴを行う。ここでは、ＬＢＴに成功したと仮定して説明を進める。ステップＳ１２４において、ｅＮＢ２００は、ＤＲＳ（ＳＳＳ）を送信する。ＳＳＳの系列は、特別なセルＩＤグループと対応付けられている。ＵＥ１００は、セルサーチによりＳＳＳを受信する。ステップＳ１２５において、ＵＥ１００は、ＳＳＳの系列に基づいてセルＩＤグループを特定する。ＵＥ１００は、特定したセルＩＤグループが特別なセルＩＤグループであると判断し、事前定義された対応関係を用いて、当該セルＩＤグループに対応するＤＲＳサブフレーム番号を特定する。その後、ＵＥ１００は、特定したサブフレーム番号のサブフレームにおいてＤＲＳの受信を試みる。
【００５６】
第１実施形態の動作パターン２において、ＳＳＳの系列（セルＩＤグループ）にＤＲＳサブフレーム番号を対応付けているが、ＰＳＳの系列（セルＩＤグループ中のセルＩＤであるローカルＩＤ）にＤＲＳサブフレーム番号を対応付けてもよい。この場合、第１実施形態の動作パターン２において、「ＳＳＳ」を「ＰＳＳ」と読み替え、「セルＩＤグループ」を「セルＩＤグループ中のセルＩＤ（ローカルＩＤ）」と読み替える。このような変更例において、３個のローカルＩＤのそれぞれは、１又は複数のＤＲＳサブフレーム番号と対応付けられている。或いは、ローカルＩＤ（ＰＳＳ系列）を１０個に拡張することにより、１つのローカルＩＤ（ＰＳＳ系列）を１つのＤＲＳサブフレーム番号に対応付けてもよい。つまり、事前に１０パターンの異なる系列をＰＳＳとして用意する。この場合、現在のセルＩＤの範囲（〜５０４）よりも多くの数のセルＩＤが規定されてもよい。ｅＮＢ２００は、自セルのセルＩＤに対応するローカルＩＤからＤＲＳサブフレーム番号を決定する。次に、ｅＮＢ２００は、ＤＲＳ（ＰＳＳ及びＳＳＳ）を送信する。ＰＳＳ系列（ローカルＩＤ）は、ＤＲＳサブフレーム番号と対応付けられている。ＵＥ１００は、セルサーチによりＰＳＳ及びＳＳＳを受信する。ＵＥ１００は、ＰＳＳ系列に基づいてローカルＩＤを特定し、ローカルＩＤに基づいてＤＲＳサブフレーム番号を特定する。ＵＥ１００は、ＰＳＳ及びＳＳＳの各系列に基づいてセルＩＤを特定する。その後、ＵＥ１００は、特定したサブフレーム番号のサブフレームにおいてＤＲＳの受信を試みる。
【００５７】
第１実施形態の動作パターン３において、ＤＲＳは、ＤＲＳサブフレーム番号と対応付けられた系列を有する同期信号（ＰＳＳ及び／又はＳＳＳ）を含む。ＵＥ１００は、受信した同期信号の系列に基づいてＤＲＳサブフレーム番号を特定する。一般的なＳＳＳ系列は、サブフレーム番号＃０で送信される場合とサブフレーム番号＃１で送信される場合とで異なる系列が付与されている。動作パターン３では、サブフレーム番号＃０及び＃５以外のサブフレームでもＳＳＳを送信可能とするために、サブフレームを示す系列の数を従来よりも増加させる。
【００５８】
図９は、第１実施形態の動作パターン３の一例を示す図である。図９に示すように、ステップＳ１３１において、ｅＮＢ２００は、ＤＲＳサブフレーム番号を決定する。ステップＳ１３２において、ｅＮＢ２００は、事前定義された対応関係を用いて、ＤＲＳサブフレーム番号に対応するＳＳＳ系列を決定する。ステップＳ１３３において、ｅＮＢ２００は、ＤＲＳを送信するためのＬＢＴを行う。ここでは、ＬＢＴに成功したと仮定して説明を進める。動作パターン３において、ステップＳ１３１及びＳ１３２は、ＬＢＴの後に実行されてもよい。すなわち、ＬＢＴに成功した直後のサブフレームの番号をＤＲＳサブフレーム番号として決定してもよい。ステップＳ１３４において、ｅＮＢ２００は、ＤＲＳサブフレーム番号に対応するサブフレームにおいてＤＲＳ（ＰＳＳ及びＳＳＳ）を送信する。ＳＳＳの系列は、ＤＲＳサブフレーム番号と対応付けられている。ＵＥ１００は、セルサーチによりＰＳＳ及びＳＳＳを受信する。ＰＳＳの受信によりセルＩＤの候補が１６８パターンに絞られる。ＵＥ１００は、ＳＳＳ送信の候補となるタイミング（ここでは、１０とする）のそれぞれについて、ＰＳＳの復号を試みる。一例として、ＵＥ１００は、１６８×１０＝１６８０個のＳＳＳ系列を総当たりで復号を試み、復号できたＳＳＳ系列に基づいて当該ＳＳＳが送信されたサブフレームを特定する（ステップＳ１３５）。
【００５９】
第１実施形態の動作パターン４において、ＤＲＳは、ＤＲＳサブフレーム番号と対応付けられた系列を有するセル固有参照信号（ＣＲＳ）を含む。一例として、ｅＮＢ２００は、ＤＲＳサブフレーム番号をＣＲＳの系列生成のパラメータとして用いる。ＵＥ１００は、ＣＲＳの系列に基づいてＤＲＳサブフレーム番号を特定する。動作パターン４において、ＣＲＳは、セルＩＤに対応する系列とＤＲＳサブフレーム番号に対応する系列とを組み合わせて構成される。すなわち、ＤＲＳサブフレーム番号をＣＲＳ系列生成用のパラメータの１つとして用いる。
【００６０】
図１０は、第１実施形態の動作パターン４の一例を示す図である。図１０に示すように、ステップＳ１４１において、ｅＮＢ２００は、ＤＲＳサブフレーム番号を決定する。ステップＳ１４２において、ｅＮＢ２００は、事前定義された対応関係を用いて、ＤＲＳサブフレーム番号に対応する特別なＣＲＳ系列を決定する。ステップＳ１４３において、ｅＮＢ２００は、ＤＲＳを送信するためのＬＢＴを行う。ここでは、ＬＢＴに成功したと仮定して説明を進める。ステップＳ１４４において、ｅＮＢ２００は、ＤＲＳ（ＣＲＳ）を送信する。ＣＲＳの系列は、ＤＲＳサブフレーム番号と対応付けられている。ＵＥ１００は、セルサーチによりＣＲＳを受信する。ステップＳ１４４において、ＵＥ１００は、ＣＲＳ系列が特別なＣＲＳ系列であると判断し、事前定義された対応関係を用いて、当該ＣＲＳ系列に対応するＤＲＳサブフレーム番号を特定する。その後、ＵＥ１００は、特定したサブフレーム番号のサブフレームにおいてＤＲＳの受信を試みる。
【００６１】
［第１実施形態の変更例］
上述した第１実施形態において、ＤＲＳサブフレーム番号をＵＥ１００が識別可能な送信態様でＤＲＳを送信する一例を説明した。言い換えると、ＤＲＳを用いてＤＲＳサブフレーム番号をＵＥ１００に通知していた。しかしながら、ＤＲＳとは異なる信号を用いてＤＲＳサブフレーム番号をＵＥ１００に通知してもよい。
【００６２】
第１実施形態の変更例において、ｅＮＢ２００は、アンライセンスドスペクトラムにおいて、ＤＲＳとは異なるブロードキャスト信号をさらに送信する。ブロードキャスト信号は、ＭＩＢ又はＳＩＢである。ブロードキャスト信号は、ＤＲＳサブフレーム番号と対応付けられている。一例として、ＤＲＳサブフレーム番号をブロードキャスト信号に含めてもよいし、ＤＲＳサブフレーム番号と対応付けられたブロードキャスト信号の新たなフォーマットを規定してもよい。ｅＮＢ２００は、詳細については後述するが、ＤＲＳと同じサブフレームでブロードキャスト信号（ＭＩＢ又はＳＩＢ）を送信する。ＵＥ１００は、アンライセンスドスペクトラムにおいてブロードキャスト信号（ＭＩＢ又はＳＩＢ）をさらに受信する。ＵＥ１００は、ブロードキャスト信号に基づいてＤＲＳサブフレーム番号を特定する。
【００６３】
図１１は、第１実施形態の変更例を示す図である。図１１に示すように、ステップＳ１５１において、ｅＮＢ２００は、ＤＲＳサブフレーム番号を決定する。ステップＳ１５２において、ｅＮＢ２００は、ブロードキャスト信号（ＭＩＢ又はＳＩＢ）を送信するためのＬＢＴを行う。ここでは、ＬＢＴに成功したと仮定して説明を進める。ステップＳ１５３において、ｅＮＢ２００は、ＤＲＳサブフレーム番号を含むブロードキャスト信号（ＭＩＢ又はＳＩＢ）を送信する。ＵＥ１００は、セルサーチ後、ブロードキャスト信号（ＭＩＢ又はＳＩＢ）を受信する。具体的には、ＵＥ１００は、ＰＳＳ及びＳＳＳ受信によりセルＩＤを取得し、ＰＳＳ及びＳＳＳが受信されたサブフレームで送信されるＭＩＢ／ＳＩＢをセルＩＤに基づいて復号する。ステップＳ１５４において、ＵＥ１００は、受信したブロードキャスト信号に含まれるＤＲＳサブフレーム番号を特定する。その後、ＵＥ１００は、特定したサブフレーム番号のサブフレームにおいてＤＲＳの受信を試みる。
【００６４】
［第２実施形態］
以下において、第２実施形態について、第１実施形態との相違点を主として説明する。
【００６５】
ＤＲＳ、ＭＩＢ、及びＳＩＢのそれぞれは、周期的な信号である。しかしながら、このような周期的な信号をアンライセンスドスペクトラムにおいて送信する場合、ＬＢＴ成功後のチャネル占有期間が周期的な信号のために消費され、下りリンクデータを送信可能な時間が圧迫される懸念がある。周期的な信号の送信により、アンライセンスドスペクトラムを利用する他の装置に干渉を与え得る。
【００６６】
第２実施形態において、ｅＮＢ２００は、アンライセンスドスペクトラムにおいてＤＲＳ及びブロードキャスト信号（ＭＩＢ及び／又はＳＩＢ）を所定の周期で送信する。ｅＮＢ２００は、ＤＲＳの送信に用いるサブフレーム内において、ＤＲＳが配置されない領域を用いてブロードキャスト信号を送信する。ＵＥ１００は、ＤＲＳ及びブロードキャスト信号を受信する。このように、ＤＲＳ及びブロードキャスト信号を同一サブフレーム内で送信可能とすることにより、ＤＲＳ及びブロードキャスト信号の送信に要する時間を短くすることができる。
【００６７】
図１２は、第２実施形態に係る下りリンク物理チャネル構成の一例を示す図である。図１２に示す例において、ＤＲＳサブフレームはサブフレーム番号＃５である。ｅＮＢ２００は、サブフレーム番号＃５のサブフレームの中央周波数部分（６リソースブロック）においてＤＲＳ及びブロードキャスト信号を送信する。当該中央周波数部分は、ＰＤＣＣＨが配置されるべき制御領域（図１２の例では先頭３シンボルの区間）及び他の領域を含む。当該中央周波数部分において、分散したリソースエレメントにＣＲＳが配置される。制御領域以外の領域は、ＰＳＳが配置される領域及びＳＳＳが配置される領域を含む。制御領域以外の領域において、ＰＳＳ及びＳＳＳが配置されない領域（空き領域）には、ＭＩＢ及びＳＩＢが配置される。ここでは、サブフレーム番号＃５の中央周波数部分（６リソースブロック）内にのみブロードキャスト信号が配置される一例を示しているが、サブフレーム番号＃５において中央周波数部分以外の部分にもブロードキャスト信号が配置されてもよい。
【００６８】
第２実施形態において、ｅＮＢ２００は、ｅＮＢ２００は、ＤＲＳの送信周期と同じ送信周期でＭＩＢを送信してもよい。ｅＮＢ２００は、そのような周期でＭＩＢを送信している旨をＤＲＳによりＵＥ１００に明示的又は暗示的に通知してもよい。一般的なＬＴＥシステムにおいて、ＭＩＢの送信周期は１０ｍｓ（１無線フレームに相当）であり、ＤＲＳの最小の送信周期は４０ｍｓ（４無線フレームに相当）である。
【００６９】
第２実施形態において、ｅＮＢ２００は、ＤＲＳを４０ｍｓ周期で送信する場合に、ＭＩＢを４０ｍｓで送信してもよい。すなわち、ｅＮＢ２００は、アンライセンスドスペクトラムにおいて、ライセンスドスペクトラムにおけるＭＩＢ送信周期よりも長い周期でＭＩＢを送信してもよい。一般的なＭＩＢは、当該ＭＩＢが送信される無線フレームのＳＦＮ（１０ビット）のうち８ビットのみを含む。ＭＩＢには４回の繰り返し送信（Ｒｅｐｅｔｉｔｉｏｎ）が適用されるため、ＵＥ１００は、何回目に送信されたＭＩＢであるかを認識することにより、残りの２ビットを判定する。ＤＲＳ及びＭＩＢが４０ｍｓ周期で送信される場合、ＭＩＢに繰り返し送信が適用されなくてもよい。第２実施形態において、ＭＩＢは、当該ＭＩＢが送信される無線フレームのＳＦＮ（１０ビット）の全てを含んでもよい。これにより、ＵＥ１００は、ＭＩＢに含まれるＳＦＮのみに基づいて実際のＳＦＮを把握することができる。
【００７０】
或いは、ｅＮＢ２００は、アンライセンスドスペクトラムにおいて、ライセンスドスペクトラムにおけるＤＲＳ最小送信周期よりも短い周期でＤＲＳを送信してもよい。一例として、ｅＮＢ２００は、ＤＲＳ及びＭＩＢを１０ｍｓ周期で送信してもよい。この場合、ＭＩＢは、当該ＭＩＢが送信される無線フレームのＳＦＮ（１０ビット）のうち８ビットのみを含んでもよい。
【００７１】
第２実施形態において、ｅＮＢ２００は、時間領域におけるＭＩＢの繰り返し送信に代えて、周波数方向におけるＭＩＢの繰り返し送信を行なってもよい。一例として、ｅＮＢ２００は、同一サブフレーム内において、周波数領域に不連続的に配置された複数のＭＩＢを送信してもよい。これにより、周波数ダイバーシチ効果を得ることができる。
【００７２】
第２実施形態において、ｅＮＢ２００は、ＤＲＳの送信周期と同じ送信周期でＳＩＢを送信してもよい。送信されるＳＩＢは、一般的なＳＩＢであってもよいし、新たに規定された特別なＳＩＢであってもよい。ｅＮＢ２００は、複数の他ＳＩＢ（例えば、ＳＩＢ１乃至ＳＩＢ２０）の送信に代えて、特別なＳＩＢを送信してもよい。特別なＳＩＢは、当該複数の他ＳＩＢが運搬すべき情報のうち少なくとも一部の情報を含む。すなわち、特別なＳＩＢは、当該複数の他ＳＩＢのそれぞれに含まれる情報から抽出された必要な情報を含んでもよい。一例として、必要な情報は、ＣＣＡ（Ｃｌｅａｒ  Ｃｈａｎｎｅｌ  Ａｓｓｅｓｓｍｅｎｔ）閾値、ランダムアクセスのパラメータ、上りリンク電力制御、及び隣接セル情報等である。ＣＣＡはＬＢＴ中の１つの処理である。
【００７３】
第２実施形態において、ｅＮＢ２００は、送信周期が異なる複数タイプのＳＩＢを送信してもよい。当該複数タイプのＳＩＢのそれぞれの送信周期は、ＤＲＳの送信周期の整数倍である。これにより、各ＳＩＢで送信周期が異なる場合でも、各ＳＩＢを適切に送信することができる。一例として、ｅＮＢ２００は、ＤＲＳを４０ｍｓ周期で送信する場合に、ＳＩＢ１を８０ｍｓ周期で送信し、ＳＩＢ２を１６０ｍｓ周期で送信してもよい。
【００７４】
第２実施形態において、ＳＩＢが配置される無線リソース（リソースブロック、リソースエレメント）を示すスケジューリング情報は、ＰＤＣＣＨで通知されてもよい。或いは、ＳＩＢが配置される無線リソース（リソースブロック、リソースエレメント）は、システム仕様により事前定義されてもよい。
【００７５】
［第３実施形態］
以下において、第３実施形態について、第１及び第２実施形態との相違点を主として説明する。
【００７６】
アンライセンスドスペクトラムにおいて、ｅＮＢ２００は、ＬＢＴの結果次第で送信機会が限定されるため、ＵＥ１００が所望の信号を長時間に亘って受信することができない事態が生じ得る。
【００７７】
第３実施形態において、ｅＮＢ２００は、アンライセンスドスペクトラムにおいて、所定タイミングで所定信号の送信を試みる。ＵＥ１００は、アンライセンスドスペクトラムにおいて、所定タイミングで所定信号の受信を試みる。所定信号はページング信号であってもよいし、所定タイミングはページング機会であってもよい。或いは、所定信号はランダムアクセス応答であってもよいし、ランダムアクセス応答の受信待ち時間であってもよい。以下において、所定タイミングが周期的なタイミングであるケースを主として想定する。
【００７８】
ｅＮＢ２００は、所定タイミングで所定信号の送信が不可であることに応じて、所定タイミングを変更することにより、変更したタイミングで所定信号の送信を試みる。具体的には、ｅＮＢ２００は、所定タイミング前のＬＢＴに失敗した場合に、所定タイミングを後にずらし（シフトし）、ＬＢＴを継続する。そして、ｅＮＢ２００は、ＬＢＴの成功に応じて、シフトしたタイミングにおいて所定信号を送信する。ＵＥ１００は、所定タイミングでｅＮＢ２００から何らの無線信号も受信しないことに応じて、変更したタイミングで所定信号の受信を試みる。具体的には、ＵＥ１００は、所定タイミングでｅＮＢ２００から何らの無線信号（例えば、ＤＲＳ）も受信しない場合に、ｅＮＢ２００がＬＢＴに失敗したと判定し、所定タイミングをシフトし、所定信号の受信の試行を継続する。これにより、ＵＥ１００は、より早い段階で所定信号を受信することができる。
【００７９】
図１３及び図１４は、第２実施形態に係る動作の一例を示す図である。ここでは、所定信号がページング信号（Ｐａｇｉｎｇ）であり、所定タイミングがページング機会である一例を説明する。ＵＥ１００は、間欠受信（ＤＲＸ：Ｄｉｓｃｏｎｔｉｎｕｅｓ  Ｒｅｃｅｐｔｉｏｎ）を行う。
【００８０】
図１３に示すように、ｅＮＢ２００は、コアネットワークからＵＥ１００宛てのページングを受信した場合、ページング機会においてページング信号をＵＥ１００に送信する。ページング機会は、ＵＥ１００に設定されたＤＲＸサイクルに応じて周期的に発生する。ＵＥ１００は、ページング機会に相当するサブフレームごとにページング信号の受信を試みる。図１３に示す例において、ｅＮＢ２００は、各ページング機会（ｔ１乃至ｔ４）の前にＬＢＴを行い、ページング信号の送信を試みる。ＬＢＴに連続的に失敗する場合、ｅＮＢ２００は、各ページング機会（ｔ１乃至ｔ４）においてページング信号の送信に失敗する。ＵＥ１００は、各ページング機会（ｔ１乃至ｔ４）においてページング信号の受信を試みるが、ページング信号の受信に失敗する。この場合、ＵＥ１００は、長時間に亘ってページング信号を受信することができない。
【００８１】
図１４に示すように、第３実施形態において、ｅＮＢ２００は、ページング機会でページング信号の送信が不可であることに応じて、当該ページング機会をシフトすることにより、シフト後のタイミングでページング信号の送信を試みる。具体的には、ｅＮＢ２００は、ページング機会（ｔ３）前のＬＢＴに失敗した場合に、ページング機会（ｔ３）を後にずらし（シフトし）、ＬＢＴを継続する。そして、ｅＮＢ２００は、ＬＢＴの成功に応じて、シフトしたタイミングにおいてページング信号を送信する。ｅＮＢ２００は、一定の回数連続的にページング信号の送信に失敗した場合に限り、ページング機会をシフトしてもよい。
【００８２】
ＵＥ１００は、ページング機会（ｔ３）でｅＮＢ２００から何らの無線信号も受信しないことに応じて、変更したタイミングでページング信号の受信を試みる。具体的には、ＵＥ１００は、ページング機会でｅＮＢ２００から何らの無線信号（例えば、ＤＲＳ等）も受信しない場合に、ｅＮＢ２００がＬＢＴに失敗したと判定する。ＵＥ１００は、ページング機会（ｔ３）をシフトし、ページング信号の受信の試行を継続する。ＵＥ１００は、シフト後のページング機会について受信の試行を継続する場合、連続的に受信試行を継続してもよいし、断続的に受信試行を継続してもよい。シフト後のページング機会に関する設定情報（例えばタイミングシフト量）は、ブロードキャストシグナリング又は個別シグナリングにより事前にｅＮＢ２００からＵＥ１００に設定されてもよい。
【００８３】
このように、ＵＥ１００は、ページング機会においてｅＮＢ２００から何らの無線信号も受信しない場合、ｅＮＢ２００から無線信号（ＤＲＳ等を含む）を受信するまで、ページング信号の受信試行を継続する。ＵＥ１００は、ページング信号の受信試行を継続する間に、ｅＮＢ２００から何らかの無線信号を受信し、当該無線信号が自ＵＥ宛ての信号ではない場合、受信試行を中止してもよい。ＵＥ１００がページング信号の受信試行を継続する間に、ｅＮＢ２００がＬＢＴに成功した場合、ＵＥ１００は、自ＵＥ宛てのページング信号をｅＮＢ２００から受信することができる。
【００８４】
［その他の実施形態］
上述した各実施形態を別個独立に実施する場合に限らず、２以上の実施形態を組み合わせて実施してもよい。例えば、一の実施形態に係る一部の動作を他の実施形態に追加してもよい。或いは、一の実施形態に係る一部の動作を他の実施形態の一部の動作と置換してもよい
上述した実施形態において、特定周波数帯がアンライセンスドスペクトラムである一例を説明した。しかしながら、特定周波数帯は、ＬＢＴが必要とされるライセンスドスペクトラム等であってもよい。
【００８５】
上述した実施形態において、ＵＥ１００が１つのｅＮＢ２００との通信を行うシナリオを想定したが、ＵＥ１００が２つのｅＮＢ２００との同時通信を行うシナリオ（いわゆる、デュアルコネクティビティ）を想定してもよい。ＵＥ１００は、当該２つのｅＮＢ２００のうち少なくとも１つのｅＮＢ２００との通信にアンライセンスドスペクトラムを用いてもよい。
【００８６】
上述した実施形態において、移動通信システムとしてＬＴＥシステムを例示した。しかしながら、本発明はＬＴＥシステムに限定されない。ＬＴＥシステム以外の通信システムに本発明を適用してもよい。
【００８７】
日本国特許出願第２０１６−１９９７３９号（２０１６年１０月１１日出願）の全内容が、参照により、本願明細書に組み込まれている。
【産業上の利用可能性】
【００８８】
本発明は移動通信分野において有用である。
【図１】
2020205612.tif 000003
【図２】
2020205612.tif 000004
【図３】
2020205612.tif 000005
【図４】
2020205612.tif 000006
【図５】
2020205612.tif 000007
【図６】
2020205612.tif 000008
【図７】
2020205612.tif 000009
【図８】
2020205612.tif 000010
【図９】
2020205612.tif 000011
【図１０】
2020205612.tif 000012
【図１１】
2020205612.tif 000013
【図１２】
2020205612.tif 000014
【図１３】
2020205612.tif 000015
【図１４】
2020205612.tif 000016